(57)【要約】      （修正有）【課題】装着された２０滴／ｍｌ輸液セットと６０滴／ｍｌ輸液セットを自動判別し、操作者の設定ミスを防ぐ輸液ポンプを提供する。【解決手段】２０滴／ｍｌ輸液セット１０と６０滴／ｍｌ輸液セット１１に取り付けられている点滴筒内の点滴口（ノズル）の径がそれぞれ異なる事から、点滴筒外周に点滴口１３，１４を挟んで対向する位置に発光素子２３と受光素子２４を取り付け、発光素子の光が点滴筒内の点滴口により遮光される状態を受光素子が測定することで２種類の輸液セットの判別を可能とした。【選択図】図３
0003185064.tif 000002
【実用新案登録請求の範囲】
【請求項１】
20滴/mL輸液セットと60滴/輸液セットのどちらが取り付けられたかを判断できる機能持ち、その機能により輸液セットの設定を不要にする／または使用者の設定した輸液セットと比較する機能を持つ事を特徴とする輸液ポンプ。
【請求項２】
20滴/mL輸液セットと60滴/輸液セットのどちらが取り付けられたかを判断できる機能は、点滴筒内の点滴口の径を光の遮光度合いを測定することで実現した輸液ポンプ。
【考案の詳細な説明】
【技術分野】
【０００１】
本考案は、使用する輸液セットの種類を自動判別できる機能を有した、輸液ポンプに関するものである。
【背景技術】
【０００２】
輸液ポンプは、薬液等を正確に持続輸液できる装置として、医療分野で広く使用されている。その際輸液ポンプに取り付けられる輸液セットは、滅菌されたディスポーザブル品であり、輸液セットの入口部分には流量を目視確認できる様に点滴筒が設けられている。輸液ポンプの流量制御方法は主に２種類有り、その一つの点滴数制御型輸液ポンプは、この点滴筒を落下（滴落）する単位時間当たりの点滴数を測定しポンプの速度をフィードバック制御している。もうひとつの制御方法として容量制御型輸液ポンプがあり、輸液セットの特性に合わせポンプの速度を一定に維持し流量制御している。
【０００３】
輸液ポンプに使用される輸液セットは、20滴/mLの点滴筒を備えた一般輸液用の輸液セットと、60滴/mLの点滴筒を備えた精密輸液用輸液セットの２種類が用意されている。20滴/mLの点滴筒には１mL当たり20滴が滴落するような点滴口（ノズル）が備えられ、60滴/mLの点滴筒には１mL当たり60滴が滴落するような点滴口（ノズル）が備えられている。このように点滴セットは2種類あり、よって同じ流量でも時間あたりの点滴数には差が発生する。
【０００４】
点滴数制御型輸液ポンプの場合、単位時間当たりの滴数を制御するため、20滴/mLの輸液セットを使用するか60滴/mLの輸液セットを使用するか決めることは重要な流量の設定条件となる。
【０００５】
また、容量制御型輸液ポンプの場合でも、流量の安全性を確認するため点滴数を測定しているものがあり、その場合は輸液セットの選定が必要となる。このように２種類のどちらの輸液セットを使用するか輸液ポンプに設定する事は、正しい流量を確保するうえで重要な事項である。
【０００６】
しかし、現在の輸液ポンプでは、この輸液セットの種類を使用者が輸液ポンプに設定する以外方法がなく、輸液ポンプが自動判断する機能は持ち合わせていない。このため輸液セットの誤設定による流量異常や誤警報の発生があり、医療過誤の原因となるケースがある。
【０００７】
このような誤設定を無くすため輸液ポンプには、輸液中の点滴数を数え、それぞれの輸液セットで想定される数値から外れる場合に警報を発生させ区別する機能がついているものがある。しかし、輸液する薬液によっては薬液の表面活性により滴の容量が変わり、結果として点滴数が変化してしまい、想定外の滴数に達する薬液もある。最近多く使用される抗がん剤などはその性質を持ち合わせているため、正常な設定にもかかわらず警報が発生するなどして、想定外から外れて警報出す機能が使用に対し障害となる場合がある。
【０００８】
特許文献１では、輸液されている点滴の大きさをイメージセンサで測定し滴容量を計算しているため、20滴/mLと60滴/mLの点滴筒を区別する必要はない。しかし、輸液開始後の判別となることやシステムが複雑である点に問題が残る。
【先行技術文献】
【特許文献】
【０００９】
【特許文献１】特開２０１１−６２３７１号公報
【考案の概要】
【考案が解決しようとする課題】
【００１０】
解決しようとする問題点は、輸液ポンプに取り付けられている輸液セットの種類（20滴/mL輸液セット  及び  60滴/mL輸液セット）と、使用者が輸液ポンプに設定した輸液セットの種類を誤り、流量異常や誤警報の発生を起こす点である。
【課題を解決するための手段】
【００１１】
本考案は、２種類の20滴/mL輸液セットと60滴/mL輸液セットの点滴筒内の点滴口（ノズル）に着目し、その点滴口（ノズル）の径が異なる事から２種類の点滴セットを見分けるセンサを持つ輸液ポンプである事を最も主要な特徴とする。
【考案の効果】
【００１２】
本考案により輸液ポンプに輸液セットを装着した時点で、輸液ポンプが自動で輸液セットを判別するため、その後の使用者による設定が不要になる。または、使用者が設定する機能を残した場合、使用者の設定値と輸液ポンプが判別した輸液セットとでダブルチェック可能となる。このことで輸液セットの設定ミスによる医療過誤をなくすことができる。
【図面の簡単な説明】
【００１３】
【図１】図１は輸液ポンプの制御の流れを示した動作説明図である。
【図２】図２は輸液ポンプに輸液セットを取り付け輸液セット自動判別の滴落検知器を装着した図である。
【図３】図３は２種類の輸液セットの点滴筒形状と、発光素子と受光素子の検知高さ示した図である。
【図４】図４は図３の検知位置水平断面図で、点滴口（ノズル）を自動判別する為に配置した発光素子と受光素子の説明図である。（実施例１）
【図５】図５は点滴口（ノズル）を判別するための受光素子出力電圧説明図である。（実施例１）
【図６】図６は受光素子と発光素子数を入れ替えた場合の説明図である。（実施例２）
【図７】図７は受光素子面を広域にして受光するレベルで点滴口（ノズル）を判別するための説明図である。（実施例３）
【考案を実施するための形態】
【００１４】
点滴筒１２の高さ１５の位置に対向する発光素子２３と受光素子２４を配置し、発光素子２３から放射される光が点滴口（ノズル）により遮光される状態を受光素子２４で検知し、２種類の点滴口（ノズル）を区別し輸液セットの判別する事が可能となった。
【実施例１】
【００１５】
点滴筒の形状は図３のように20滴/mL輸液セット１０と60滴/mL輸液セット１１では異なり、20滴/mLの点滴口（ノズル）１３外径は約φ４mm、60滴/mLの点滴口（ノズル）１４外形は約φ１mmである。
【００１６】
図３点滴筒の20滴/mL点滴口及び60滴/mL点滴口を通る高さ１５に発光素子２３と受光素子２４を対向する位置で配置し、受光素子２４は図４のように点滴口断面に対し水平位置に３個２８、２９、３０配置する。
【００１７】
受光素子２９は60滴/mL点滴口に光軸２１が遮られる位置２９に配置し、受光素子２８、３０は20滴/mL点滴口のみで光軸２０、２２が遮られる位置に配置する。
【００１８】
この配置（図４）にすることで、点滴筒が取り付けていないときは全ての受光素子２８、２９、３０に発光素子の光２０、２１、２２が届き、60滴/mLの点滴筒が取り付けられている場合は２８、３０の受光素子に光が届く。20滴/mLの点滴筒が取り付けられている場合は２８、２９、３０の受光素子全てが遮光され光が届かない。よってそれぞれの場合で図５の受光素子出力電圧に分別される。
【００１９】
分別は表１となり輸液セットの種類が判別できる。
【００２０】
【表１】
0003185064.tif 000003
【００２１】
輸液ポンプの制御を図１で説明する。点滴口受光部４１で受光された電圧は、輸液セット検知部・滴落検知部４３に入り輸液セットの判別を行う。判別された信号は、設定値入力部・制御部４４で操作者によって設定４５された輸液セットと比較し、双方が一致した場合その輸液セットに適したモータ駆動信号をモータ駆動部４６に与え、モータ４７を駆動し装液部４８を動作させる。
【００２２】
また、滴落受光部４２で受光した信号は、輸液セット検知部・滴落検知部４３で滴落としての判定・計測し、設定値入力部・制御部４４で判別された輸液セットの値と比較し、時間あたりの点滴数が想定外となった場合、警報発生部４９で警報を発生させポンプを停止させる。
【実施例２】
【００２３】
図６の実施例は、発光素子と受光素子数を入れ替えた場合であり、実施例１と同様に光軸を点滴口（ノズル）が遮光することにより、20滴/mL点滴セットと60滴/mL点滴セット装着時の受光素子出力電圧の違いにより判定できる。
【実施例３】
【００２４】
図７の実施例は、点滴口（ノズル）が遮光する光量を利用し受光側素子の出力電圧により20滴/mL輸液セットと60/mL輸液セットを判別する方法である。
【産業上の利用可能性】
【００２５】
輸液ポンプが、使用する輸液セットの種類20滴/mLと60滴/mLを自動で判別できる機能を有した場合、使用者による設定ミスを輸液開始前に発見し警告を与え、安全な輸液を患者に提供可能となる。
【符号の説明】
【００２６】
１    輸液セット判別センサ
２    輸液セット（点滴筒）
３    輸液ポンプ
４    表示部
５    設定値入力部
１０    20滴/mL輸液セット
１１    60滴/mL輸液セット
１２    点滴筒
１３    20滴/mL点滴口（ノズル）
１４    60滴/mL点滴口（ノズル）
１５    発光・受光素子取り付け高さ
２０    光軸（20滴/mL点滴口検知用１）
２１    光軸（60滴/mL点滴口検知用）
２２    光軸（20滴/mL点滴口検知用２）
２３    発光素子
２４    受光素子
２５    20滴/mL点滴口
２６    60滴/mL点滴口
２７    点滴筒
２８、２９、３０    受光素子
４０    発光部
４１    点滴口受光部
４２    滴落受光部
４３    輸液セット検知部・滴落検知部
４４    設定値入力部・制御部
４５    ポンプ各設定項目入力
４６    モータ駆動部
４７    モータ
４８    装液部
４９    警報発生部
【図１】
0003185064.tif 000004
【図２】
0003185064.tif 000005
【図３】
0003185064.tif 000006
【図４】
0003185064.tif 000007
【図５】
0003185064.tif 000008
【図６】
0003185064.tif 000009
【図７】
0003185064.tif 000010
【手続補正書】
【提出日】平成25年5月30日(2013.5.30)
【手続補正１】
【補正対象書類名】実用新案登録請求の範囲
【補正対象項目名】請求項１
【補正方法】変更
【補正の内容】
【請求項１】
点滴筒内の点滴口の径における光の遮光度合いを測定する発光部及び受光部と、前記遮光度合いに基づき、20滴/mL輸液セットと60滴/mL輸液セットのどちらが取り付けられたかを判断する輸液セット検知部とを備えたことを特徴とする輸液ポンプ。
【手続補正２】
【補正対象書類名】実用新案登録請求の範囲
【補正対象項目名】請求項２
【補正方法】変更
【補正の内容】
【請求項２】
装着すべき輸液セットをあらかじめ設定しておく設定値入力・制御部をさらに備え、前記設定値入力・制御部は、前記輸液セット検知部で判断された20滴/mL輸液セットと60滴/mL輸液セットのどちらが取り付けられたかの判断結果と、あらかじめ設定された輸液セットとを比較するものであることを特徴とする請求項１記載の輸液ポンプ。